(57)【要約】【課題】貯蔵室内で汁等の液体がこぼれた際に汁が棚の下に落下しないようにし、かつ、棚自身の清掃も容易に行えるようにした冷蔵庫を提供すること。【解決手段】冷蔵室２に設けられた複数の棚２ａは、両側部が冷蔵室２内壁に設けられた取り付け溝に嵌め込まれる棚枠２９と、この棚枠２９に上方から嵌め込まれる棚本体３０と、前記棚枠２９の下部に一体に設けられた取り付け枠２９ａに下方から着脱自在に嵌め込まれる受け板３１とからなり、棚本体３０には多数の穴３２があけられているステンレス製のパンチングメタルが用いられている。受け板３１は、前後方向にずらして斜めに傾けると、取り付け枠２９ａから外れ、逆に斜めに傾けながら前後方向にずらすと取り付け枠２９ａに嵌め込まれるようにしてあり、着脱が自在に行えるようにしてある。【選択図】　図４
2004085058.tif 000002
【特許請求の範囲】
【請求項１】
食品等を載置する棚が設けられた貯蔵室を有する冷蔵庫において、前記棚は棚本体と、この棚本体の下方に着脱自在に取り付けられた受け板とからなり、棚本体には多数の穴があけられていることを特徴とする冷蔵庫。
【請求項２】
食品等を載置する棚が設けられた貯蔵室を有する冷蔵庫において、前記棚は貯蔵室に取り付けられた棚枠と、この棚枠に上方から嵌め込まれた棚本体と、前記棚枠に下方から着脱自在に嵌め込まれた受け板とからなり、棚本体には多数の穴があけられていることを特徴とする冷蔵庫。
【請求項３】
棚本体はステンレス製のパンチングメタルからなることを特徴とする請求項１又は請求項２記載の冷蔵庫。
【発明の詳細な説明】
【０００１】
【発明の属する技術分野】
本発明は、一般家庭等における冷凍冷蔵庫等の冷蔵庫に関するものであり、特に冷蔵室等の貯蔵室に食品等を載置する棚が設けられている冷蔵庫に関する。
【０００２】
【従来の技術】
一般家庭用の冷凍冷蔵庫等においては、本体内を仕切壁にて仕切り、例えば上部に冷蔵室を配置し、冷蔵室の下に野菜室を配置し、更に野菜室の下に冷凍室等の貯蔵室を配置している。そして、最も内容積の大きな冷蔵室には棚を架設し、食品等を複数段に収納できるようにしている。
【０００３】
【発明が解決しようとする課題】
しかしながら、棚として線材で作られた網棚を使用すると、貯蔵室の食品等を出し入れする際、汁等の液体がこぼれてそのまま下に落下し、棚の下にある食品や貯蔵室を汚すことがある。また、棚として合成樹脂材料等の板で作られたものもあるが、このものでは、棚に載置された食品等を移動させないと、棚を清掃できない問題があった。
【０００４】
そこで本発明は、貯蔵室内で汁等の液体がこぼれた際に棚の下に落下しないようにし、かつ、棚自身の清掃も容易に行えるようにした冷蔵庫を提供することを目的とする。
【０００５】
【課題を解決するための手段】
上記課題を解決するため、請求項１に係る発明は、食品等を載置する棚が設けられた貯蔵室を有する冷蔵庫において、前記棚は棚本体と、この棚本体の下方に着脱自在に取り付けられた受け板とからなり、棚本体には多数の穴があけられていることを特徴とする。
【０００６】
請求項２に係る発明は、食品等を載置する棚が設けられた貯蔵室を有する冷蔵庫において、前記棚は貯蔵室に取り付けられた棚枠と、この棚枠に上方から嵌め込まれた棚本体と、前記棚枠に下方から着脱自在に嵌め込まれた受け板とからなり、棚本体には多数の穴があけられていることを特徴とする。
【０００７】
請求項３に係る発明は、請求項１又は請求項２記載の冷蔵庫において、棚本体がステンレス製のパンチングメタルからなることを特徴とする。
【０００８】
【発明の実施の形態】
以下、本発明の実施の形態を図に基づき説明する。先ず、冷凍冷蔵庫の正面図である図１、図１のＡ−Ａ縦断面図である図２及び図１のＢ−Ｂ縦断面図である図３において、１はそれぞれ前面扉が設けられた複数の食品貯蔵室から成る冷凍冷蔵庫本体で、鋼板製の外箱１Ａと内箱１Ｂ及び両箱間に充填された発泡ウレタンなどの断熱材１Ｃにより構成されている。この冷凍冷蔵庫本体１の内部は断熱作用のある仕切壁１Ｄにより仕切られ、最上部に冷蔵室２を配置し、冷蔵室２の下に野菜室３を配置し、野菜室３の下に中間部冷凍室（以下、第１冷凍室という）４とボトル収納室５とを左右に並んで配置し、更に最下部に下部冷凍室（以下、第２冷凍室という）６を配置している。
【０００９】
そして、前記冷蔵室２前面開口はハンドル７により開閉可能な回動式の冷蔵室扉８により閉塞可能であり、冷蔵室２の下の野菜室３、第１冷凍室４、ボトル収納室５及び第２冷凍室６は引出し式の野菜室扉９、第１冷凍室扉１０、ボトル収納室扉１１及び第２冷凍室扉１２により夫々閉塞されている。また、各扉には、把手部１３、１４、１５、１６が設けられている。
【００１０】
冷蔵室２には複数の棚２ａが間隔を存して設けられ、下部に収納箱２ｂが配置されている。また、冷蔵室扉８には間隔を存して複数の収納棚８ａ及びボトル用棚８ｂ等が設けられている。また、９ａは野菜室扉９と一体の野菜収納箱である。
【００１１】
冷蔵室２の下部には、製氷のための水が貯留される給水タンク１７が設けられ、また第１冷凍室４とボトル収納室５の高さは等しく、第１冷凍室４の上部には製氷装置１８が設けられ、製氷装置１８の下は製氷装置１８により作られた氷を貯える貯氷箱１９が設けられ、更に貯氷箱１９の下に第１冷凍室扉１０と一体の冷凍保存空間を形成する冷凍食品収納箱２０が設けられている。なお、貯氷箱１９は製氷装置１８の下に設けられ、当該製氷装置１８からの氷を受止めて貯氷するようになっている。また、ボトル収納室５には、ボトル収納室扉１１と一体のボトル収納箱２１が設けられ、複数本の市販の１．５リットル或いは２．０リットルの飲料ボトルであるペットボトルＰが立てて収納される。なお、ボトル収納室５に１．０リットルの牛乳、ジュース等の飲料パックを収納してもよい。
【００１２】
第２冷凍室６の上部には上部冷凍食品収納箱２２が設けられ、その下に第２冷凍室扉１２と一体の下部冷凍食品収納箱２３が設けられている。
【００１３】
また、冷凍冷蔵庫本体１の後下部等には、圧縮機２４、図示しない凝縮器が収納されている。また、冷凍冷蔵庫本体１の内部に形成された冷気循環路２５には圧縮機２４等と共に冷凍装置を構成し、庫内空気を冷却する冷却器２６、冷気循環用ファン２７、冷気の循環路を切り換えるダンパ２８等が設けられている。
【００１４】
以上のように構成された冷凍冷蔵庫の運転時には、圧縮機２４が運転し、冷却器２６により冷却され、温度低下した冷気を冷気循環用ファン２７により強制循環させながら庫内を冷却している。そして、図示しない冷蔵庫温度センサー及び冷凍庫温度センサーが検出した温度と温度調節レベルに応じて図示しない制御装置が動作し、冷凍装置の運転が制御され、冷蔵室２、野菜室３、第１冷凍室４、ボトル収納室５及び第２冷凍室６の温度が設定温度に保たれる。
【００１５】
前記冷蔵室２に設けられた複数の棚２ａは、図４乃至図６に示すように、両側部が冷蔵室２内壁に設けられた取り付け溝（図示せず）に嵌め込まれる棚枠２９と、この棚枠２９に上方から嵌め込まれる棚本体３０と、前記棚枠２９の下部に一体に設けられた取り付け枠２９ａに下方から着脱自在に嵌め込まれる受け板３１とからなり、棚本体３０には多数の穴３２があけられているステンレス製のパンチングメタルが用いられている。棚枠２９には耐久性のあるポリプロピレン等の合成樹脂材料が用いられ、受け板３１には耐久性のあるポリプロピレン等の合成樹脂材料、またはステンレス板が用いられている。
【００１６】
受け板３１は、図７に示すように、前後方向にずらして斜めに傾けると、取り付け枠２９ａから外れ、逆に斜めに傾けながら前後方向にずらすと取り付け枠２９ａに嵌め込まれるようにしてあり、着脱が自在に行えるようにしてある。
【００１７】
そして、冷蔵室２に貯蔵されている食品等を出し入れする際に、例えば、図７に示すように、椀３３や皿３４の中の汁やパン屑等がこぼれたりすると、これらは棚本体３０の多数の穴３２を通って受け板３１上に溜まり、その棚２ａの下に落下しないようにできる。そして、棚本体３０に食品等を載せたまま、受け板３１を前後方向にずらして棚枠２９の取り付け枠２９ａから外し、この受け板３１を水洗いするなどして受け板３１に付いた汚れを除去した後、受け板３１を棚枠２９に嵌め込むことができる。
【００１８】
尚、前記受け板３１は周縁部に上向きのフランジを有する皿状のものや、周縁部を除いて上面を凹所とした皿状のものであってもよく、このようにすることにより、棚本体３０の多数の穴３２を通ったパン屑等が受け板３１上に溜まり易くなると共に受け板３１を前後方向にずらして棚枠２９の取り付け枠２９ａから外す際にパン屑等が受け板３１からこぼれ難くなる。
【００１９】
勿論、棚本体３０上に食品等がないときには、ステンレス製のパンチングメタルで作られた棚本体３０の上面を布巾で拭いたり、受け板３１と一緒に棚本体３０を外し、水洗いするなどして、棚２ａを常に清潔に保つことできる。
【００２０】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【００２１】
【発明の効果】
以上のように本発明は、貯蔵室の食品等を出し入れする際に、汁等の液体やパン屑等がこぼれても、これらが棚本体の多数の穴を通って受け板上に溜まるようにして棚の下にある食品や貯蔵室を汚さないようにでき、しかも受け板が棚本体の下方に着脱自在に取り付けられているので、棚本体の食品等を移動させずに受け板を清掃して、棚自身を清潔に保つことができ、貯蔵室と食品等を清潔に保ちながら使い勝手を向上させることができる。
【００２２】
また、棚枠に多数の穴を有する棚本体を上方から嵌め込み、棚枠の下部に受け板を下方から着脱自在に嵌め込んだものでは、受け板と一緒に棚本体を棚枠から外して清掃することもでき、さらに棚本体がステンレス製のパンチングメタルからなるものでは、布巾等で拭くだけで棚本体の上面を清潔に保つことができるなど、衛生状態を向上させる冷蔵庫を提供することができる。
【図面の簡単な説明】
【図１】冷凍冷蔵庫の正面図である。
【図２】図１に示した冷凍冷蔵庫のＡ−Ａ縦断側面図である。
【図３】図１に示した冷凍冷蔵庫のＢ−Ｂ縦断側面図である。
【図４】冷蔵室に設けられた棚の斜視図である。
【図５】同じく切欠して示す棚の斜視図である。
【図６】同じく図４に示した棚のＣ−Ｃ縦断側面図である。
【図７】同じく棚の使用状態と受け板の着脱状態を示す説明図である。
【符号の説明】
１　　　　　　　冷凍冷蔵庫本体
２　　　　　　　冷蔵室（貯蔵室）
２ａ　　　　　　棚
２９　　　　　　棚枠
２９ａ　　　　　取り付け枠
３０　　　　　　棚本体
３１　　　　　　受け板
【図１】
2004085058.tif 000003
【図２】
2004085058.tif 000004
【図３】
2004085058.tif 000005
【図４】
2004085058.tif 000006
【図５】
2004085058.tif 000007
【図６】
2004085058.tif 000008
【図７】
2004085058.tif 000009